(57)【特許請求の範囲】
【請求項１】
紙基材の両側を熱可塑性樹脂で積層した包材で形成された底部と本体と、該本体の上端に接合され熱可塑性樹脂で形成された頂部とからなる液体食品用容器の開口装置であって、
該頂部に、該熱可塑性樹脂により一体成形されて注出口を覆う蓋体を備え、
該蓋体は該頂部を区画すると共に切断容易にシールする弱め線を備え、
該蓋体は、容器前面側に第１蓋部と、容器後面側に第２蓋部と、該第１蓋部から突出した把持部とからなり、
該第１蓋部と該第２蓋部との間に、第１ヒンジが設けられ、該把持部が引き上げられて、該第１ヒンジを軸に該第１蓋部が回転されて、該弱め線が切断されて狭く開封され、
該第２蓋部の容器後面側の縁部に、第２ヒンジが設けられ、該把持部が更に引き上げられて、該第２ヒンジを軸に該第２蓋部が回転されて、該弱め線が切断して更に広く開封される、
ことを特徴とする液体食品用容器の開口装置。
【請求項２】
狭く開封された該第１蓋部が戻り止めストッパを有し、狭く開封された開口の部分は、ストロー用の孔の寸法に該当する、請求項１記載の開口装置。
【請求項３】
該頂部が、本体の上端側に肩部と、該肩部から突出した首部と、からなる、請求項２記載の開口装置。
【請求項４】
該第２蓋部と該肩部とが、該第２ヒンジを挟んで、該第２蓋部の後面側端部と該頂部の該肩部とに、広く開封された該第２蓋部の戻りを止めるフックを、各々有する、請求項３記載の開口装置。
【請求項５】
該把持部が、該第１蓋部から容器前方向に突出した板形状を有する、請求項４記載の開口装置。
【請求項６】
該把持部が、該第１蓋部上面に接合して容器前方向に突出した板形状を有する、請求項４記載の開口装置。
【請求項７】
紙基材の両側を熱可塑性樹脂で積層した包材で形成された底部と本体と、本体の上端に接合され熱可塑性樹脂で形成された頂部とからなる液体食品用容器であって、
該容器は、開口装置を有し、
該頂部に、該熱可塑性樹脂により一体成形されて注出口を覆う蓋体を備え、
該蓋体は該頂部を区画すると共に切断容易にシールする弱め線を備え、
該蓋体は、容器前面側に第１蓋部と、容器後面側に第２蓋部と、該第１蓋部から突出した把持部とからなり、
該第１蓋部と該第２蓋部との間に、第１ヒンジが設けられ、該把持部が引き上げられて、該第１ヒンジを軸に該第１蓋部が回転されて、該弱め線が切断されて狭く開封され、
該第２蓋部の容器後面側の縁部に、第２ヒンジが設けられ、該把持部が更に引き上げられて、該第２ヒンジを軸に該第２蓋部が回転されて、該弱め線が切断されて更に広く開封され、
該把持部が、該第１蓋部上面に接合して容器前方向に突出した板形状を有する、
ことを特徴とする開口装置を有する液体食品用容器。
【請求項８】
紙基材の両側を熱可塑性樹脂で積層した包材で形成された底部と本体と、本体の上端に接合され熱可塑性樹脂で形成された頂部とからなる液体食品用容器の開口装置であって、
該頂部に、該熱可塑性樹脂により一体成形されて注出口を覆う蓋体を備え、
該蓋体は、該頂部を区画すると共に切断容易にシールする弱め線を備え、
該蓋体は、該頂部中央に第１蓋部と、該第１蓋部を囲む第２蓋部と、該第１蓋部から突出した把持部とからなり、
該第１蓋部と該第２蓋部との間に、第１ヒンジが設けられ、該把持部が引き上げられて、該第１ヒンジを軸に該第１蓋部が回転されて、該弱め線が切断されて狭く開封され、
該第２蓋部の容器後面側の縁部に、第２ヒンジが設けられ、該把持部が更に引き上げられて、該第２ヒンジを軸に該第２蓋部が回転されて、該弱め線が切断されて更に広く開封される、
ことを特徴とする液体食品用容器の開口装置。
【請求項９】
狭く開封された該第１蓋部の開口の部分は、ストロー用の孔の寸法に該当する、請求項８記載の開口装置。
【請求項１０】
該頂部の肩部に、広く開封された該第２蓋部の戻りを止める、フックを有する、請求項９記載の開口装置。
【請求項１１】
該把持部が、該第１蓋部から容器上方向に突出した形状を有する、請求項９記載の開口装置。
【請求項１２】
紙基材の両側を熱可塑性樹脂で積層した包材で形成された底部と本体と、本体の上端に接合され熱可塑性樹脂で形成された頂部とからなる液体食品用容器であって、
該容器は、開口装置を有し、
該頂部に、該熱可塑性樹脂により一体成形されて注出口を覆う蓋体を備え、
該蓋体は、該頂部を区画すると共に切断容易にシールする弱め線を備え、
該蓋体は、該頂部中央に第１蓋部と、該第１蓋部を囲む第２蓋部と、該第１蓋部から突出した把持部とからなり、
該第１蓋部と該第２蓋部との間に、第１ヒンジが設けられ、該把持部が引き上げられて、該第１ヒンジを軸に該第１蓋部が回転されて、該弱め線が切断されて狭く開封され、
該第２蓋部の容器後面側の縁部に、第２ヒンジが設けられ、該把持部が更に引き上げられて、該第２ヒンジを軸に該第２蓋部が回転されて、該弱め線が切断されて更に広く開封され、
該把持部が、該第１蓋部上面に接合して容器上方向に突出した形状を有する、
ことを特徴とする開口装置を有する液体食品用容器。
【発明の詳細な説明】
【技術分野】
【０００１】
この発明は、液体食品を充填して包装する液体食品用容器の開口装置及び液体食品用容器に関する。
【背景技術】
【０００２】
従来、牛乳、清涼飲料水等の液体食品を充填する紙容器の頂部に射出成形された熱可塑性樹脂の蓋に形成される開口装置がある。
その開口装置では、液体食品用容器の包材は、紙基材が熱可塑性樹脂の外側層と内側層で覆われ、ストロー孔は、熱可塑性樹脂で覆ってストロー孔密封部が形成される。このストロー孔密封部はインジェクション成形される。ストロー孔密封部では、ストローを突刺す際にストローが滑らず貫通し易く、また、ストロー孔密封部が軟らかくストロー先端部が曲がら無いようにする必要がある。
そのために、ストロー孔密封部には、密封性を損なわない程度に薄肉部が形成される。（参考特許文献１）
また、液体食品を充填する紙容器の頂部に射出成形された熱可塑性樹脂の蓋体と、その蓋体に形成されたストロー孔用薄肉部とを有する開口装置がある。（参考特許文献２）
【先行技術文献】
【特許文献】
【０００３】
【特許文献１】特開２００２−３６２５４８号公報
【特許文献２】特開２００８−１５５９４８号公報
【発明の概要】
【発明が解決しようとする課題】
【０００４】
薄肉部によって、ストローでストロー孔の密封を貫通できる。しかし、液体食品用容器の搬送・流通過程で振動等によって薄肉部の密封が破断する恐れがある。ストロー孔の薄肉部による密封と開封とのバランスをコントロールすることは、非常に難しい。【０００５】
本発明は、紙基材に熱可塑性樹脂を積層した包材の本体の上端縁部に熱可塑性樹脂頂部を形成した液体食品用容器において、搬送時の振動等の外力で簡単に漏れることなく、且つ容易にストロ孔が開口できる、ストローによって飲むことができ、また、口から直接に飲む、コップなどに注ぐこともできる開口装置及び液体食品用容器を提供することを目的とする。
【課題を解決するための手段】
【０００６】
この発明の液体食品用容器の開口装置、又は、液体食品用容器は、紙基材の両側を熱可塑性樹脂で積層した包材で形成された底部と本体と、本体の上端に接合され熱可塑性樹脂で形成された頂部とからなる液体食品用容器の開口装置、又は、液体食品用容器であって、
頂部に、熱可塑性樹脂により一体成形されて注出口を覆う蓋体を備え、
蓋体は、頂部を区画すると共に切断容易にシールする弱め線を備え、
蓋体は、容器前面側に第１蓋部と、容器後面側に第２蓋部と、第１蓋部から突出した把持部とからなり、
第１蓋部と第２蓋部との間に、第１ヒンジが設けられ、把持部が引き上げられて弱め線に沿って切断され、第１ヒンジを軸に第１蓋部が回転されて、第１蓋部と第２蓋部との間の弱め線が切断されて狭く開封され、
容器後面側の第２蓋部の縁部に、第２ヒンジが設けられ、把持部が更に引き上げられて弱め線に沿って切断され、第２ヒンジを軸に第２蓋部が回転されて、第２蓋部と外周の頂部との間の弱め線が切断されて更に広く開封される、
ことを特徴とする。【０００７】
この発明の好ましい態様において、狭く開封された第１蓋部が戻り止めストッパを有し、狭く開封された開口の部分の寸法は、ストロー用の孔の寸法に実質的に該当する。【０００８】
この発明の好ましい態様において、頂部が、本体の上端側に肩部と、肩部から突出した首部と、からなる。【０００９】
この発明の好ましい態様において、第２ヒンジを挟んで、第２蓋部の後面側端部と頂部の肩部とに、広く開封された第２蓋部の戻りを止めるフックを、第２蓋部と肩部とが、各々有する。【００１０】
この発明の好ましい態様において、把持部が、第１蓋部から容器前方向に突出した板形状を有する。【００１１】
この発明の好ましい態様において、把持部が、第１蓋部上面に接合して容器前方向に突出した板形状を有する。【００１２】
この発明の第２の液体食品用容器の開口装置、又は、液体食品用容器は、紙基材の両側を熱可塑性樹脂で積層した包材で形成された底部と本体と、本体の上端に接合され熱可塑性樹脂で形成された頂部とからなる液体食品用容器の開口装置を有し、
頂部に、熱可塑性樹脂により一体成形されて注出口を覆う蓋体を備え、
蓋体は、頂部を区画すると共に切断容易にシールする弱め線を備え、
蓋体は、頂部中央に第１蓋部と、第１蓋部を囲む第２蓋部と、第１蓋部から突出した把持部とからなり、
第１蓋部と第２蓋部との間に、第１ヒンジが設けられ、把持部が引き上げられて、第１ヒンジを軸に第１蓋部が回転されて、第１蓋部と第２蓋部との間の弱め線が切断されて、狭く開封され、
第２蓋部の容器後面側の縁部に、第２ヒンジが設けられ、把持部が更に引き上げられて、第２ヒンジを軸に第２蓋部が回転されて、第２蓋部と外周の頂部との間の弱め線が切断されて、更に広く開封される、
ことを特徴とする。【００１３】
この第２の発明の好ましい態様において、狭く開封された第１蓋部の開口の部分の寸法は、ストロー用の孔の寸法に、若しくは、ストロー用の孔の寸法よりも広い寸法に、実質的に該当する。【００１４】
この第２の発明の好ましい態様において、頂部の肩部に、広く開封された第２蓋部の戻りを止める、フックを有する。【００１５】
この第２の発明の好ましい態様において、把持部が、第１蓋部から容器上方向に突出した形状を有する。
【発明の効果】
【００１６】
以上の本発明によれば、以下の作用機能を発揮し、有利な効果が得られる。
この発明における開口装置の液体食品用容器は、紙基材の両側を熱可塑性樹脂で積層した包材で形成された底部と本体と、本体の上端に接合され熱可塑性樹脂で、例えば、射出成型で形成された頂部とからなる。
頂部が熱可塑性樹脂層で形成されるので、形状や薄さを容易に制御／設計することができる。【００１７】
本発明の特徴において、頂部に、熱可塑性樹脂により一体成形されて注出口を覆う蓋体を備える。
蓋体が頂部と熱可塑性樹脂により一体成形されるので、効率的に頂部及び蓋体を形成することができる。蓋体が注出口を覆い、注出口を流通過程で搬送に確実に保護することができる。【００１８】
本発明の特徴において、蓋体は頂部を区画すると共に切断容易にシールする弱め線を備える。
蓋体の開封時には、この弱め線に沿って、切断される。この弱め線は、蓋体と頂部とを区画する位置に、また、第１蓋部と第２蓋部とを区画する位置に、設けられているので、蓋体が容易に切断されることができる。【００１９】
本発明の特徴において、蓋体は、容器前面側に第１蓋部と、容器後面側に第２蓋部と、第１蓋部から突出した把持部とからなる。
第１蓋部と第２蓋部との間に、第１ヒンジが設けられ、把持部が引き上げられて、第１ヒンジを軸に第１蓋部が回転されて狭く開封される。
この発明において、最初に、注出口が、第１蓋部で、狭く開封される。第１蓋部に相当する面積で開口する。
狭く開封された第１蓋部の開口部が、ストロー用の開口部に相当することができ、その部分が肉厚の第１蓋部で保護され、ストロー孔の薄肉部を省くことができ、脆弱な薄肉部による不都合を解消することができる。
好ましくは、この開口の部分の寸法は、ストロー用の孔の寸法に概ね該当する。狭く開封された開口の部分にストローを差し込んで、そこに保持されたストローで容器内部の液体食品を飲むことができる。【００２０】
本発明の特徴において、容器後面側の第２蓋部の縁部に、第２ヒンジが設けられ、把持部が更に引き上げられて、第２ヒンジを軸に第２蓋部が回転されて更に広く開封される。
この発明において、２番目のステップとして、第２蓋部の開封によって、注出口が更に広く開口される。第１蓋部及び第２蓋部に相当する面積で広く開口する。
この広い開口の部分は、消費者が容器から口に液体食品を直接に飲む注ぎ口に該当する。広く開封された開口の部分に、口を近づけて容器内部の液体食品を直接に飲むことができる。【００２１】
この発明の好ましい態様において、狭く開封された第１蓋部が戻り止めストッパを有し、狭く開封された開口の部分の寸法は、ストロー用の孔の寸法に実質的に該当する。
ストッパが、第１蓋部の戻りを止め、確実に安心して、ストロー用の孔としてストローを差し込むことができる。【００２２】
この発明の好ましい態様において、頂部が、本体の上端側に肩部と、肩部から突出した首部と、からなる。
肩部と首部とからなることによって、ビン、ボトルなどの他の液体食品用の容器と同様に、使い慣れた様式で、使用することができる。【００２３】
この発明の好ましい態様において、第２ヒンジを挟んで、第２蓋部の後面側端部と頂部の肩部とに、広く開封された第２蓋部の戻りを止めるフックを、第２蓋部と肩部とが、各々有する。
フックが第２蓋部の戻りを防止して、消費者が広く開封された注ぎ口から直接に、確実に安心して、飲むことができる。【００２４】
この発明の好ましい態様において、把持部が、第１蓋部から容器前方向に突出した板形状を有し、もしくは、把持部が、第１蓋部上面に接合して容器前方向に突出した板形状を有する。
突出した板状の把持部を、容易に把持し、強い力を要せず、例えば、高齢者や幼児でも、容易に開封することができる。【００２５】
本発明の別の特徴において、蓋体は、頂部中央に第１蓋部と、第１蓋部を囲む第２蓋部と、第１蓋部から突出した把持部とからなる。
第１蓋部と第２蓋部との間に、第１ヒンジが設けられ、把持部が引き上げられて、第１ヒンジを軸に第１蓋部が回転されて、弱め線に沿って、狭く開封される。
この発明において、最初に、注出口が、第１蓋部で、狭く開封される。第１蓋部に相当する面積で開口する。
好ましくは、この開口の部分の寸法は、ストロー用の孔の寸法に実質的に該当する。この寸法では、開口の縁部の少なくとも２箇所、好ましくは３カ所以上で、ストロー管外壁と接触する。この接触で、ストローの落下若しくは離脱を防止する。
狭く開封された開口の部分にストローを差し込んで、ストローで容器内部の液体食品を飲むことができる。
ストロー用の開口部に相当する部分が肉厚の第１蓋部で保護され、ストロー孔の薄肉部を省くことができ、脆弱な薄肉部による不都合を解消することができる。【００２６】
本発明の別の特徴において、第２蓋部の容器後面側の縁部に、第２ヒンジが設けられ、把持部が更に引き上げられて、第２ヒンジを軸に第２蓋部が回転されて、弱め線に沿って、更に広く開封される。
この発明において、２番目のステップとして、第２蓋部の開封によって、注出口が更に広く開口される。第１蓋部及び第２蓋部に相当する合計面積で広く開口する。
この広い開口の部分は、消費者が容器から口に液体食品を直接に飲む注ぎ口に該当する。広く開封された開口の部分に、口を近づけて容器内部の液体食品を直接に飲むことができる。【００２７】
この発明の好ましい態様において、上述のように、狭く開封された第１蓋部がストローの落下を防止し、狭く開封された開口の部分の寸法は、ストロー用の孔の寸法に該当する。
第１蓋部自体がストロー落下を止め、確実に安心して、ストロー用の孔としてストローを差し込むことができる。【００２８】
この第２の発明の好ましい態様において、頂部の肩部に、広く開封された第２蓋部の戻りを止める、フックを有する。
フックが第２蓋部の戻りを防止して、消費者が広く開封された注ぎ口から直接に、確実に安心して、飲むことができる。【００２９】
この発明の好ましい態様において、把持部が、第１蓋部から容器上方向に突出した形状を有する。
突出した棒状、柱状などの把持部を、容易に把持し、強い力を要せず、例えば、高齢者や幼児でも、容易に開封することができる。
【図面の簡単な説明】
【００３０】
【図１】この発明による開口装置を備えた第１の容器例であって、注出口が、第１蓋部で、狭く開封され、狭く開封された開口の部分にストローが差し込まれた様子を示す一部外観図である。
【図２】開口装置を備えた液体食品用容器の製造工程の例を示す外観図である。
【図３】この発明による開口装置を備えた液体食品用容器の第１の実施例を示す正面外観図である。
【図４】この発明による開口装置を備えた液体食品用容器の第１の実施例を示す側面外観図である。
【図５】この発明による開口装置を備えた液体食品用容器の第１の実施例を示す上面外観図である。
【図６】この発明による開口装置を備えた液体食品用容器の第１の実施例を示す斜視外観図である。
【図７】この発明による開口装置を備えた液体食品用容器の第１の実施例の上部を示す斜視外観図である。
【図８】この発明による開口装置を備えた第１の容器例であって、注出口が狭く開封され、第１蓋部が開かれた様子を示す部分側面外観図である。
【図９】この発明による開口装置を備えた第１の容器例であって、注出口が、第１蓋部で、狭く開封された様子を示す一部斜視外観図である。
【図１０】この発明による開口装置を備えた第１の容器例であって、注出口が、第２蓋部で広く開封された様子を示す一部斜視外観図である。
【図１１】この発明による開口装置を備えた第１の容器例であって、注出口が、第２蓋部で広く開封された様子を示す一部側面外観図である。
【図１２】この発明による開口装置を備えた第１の容器例であって、注出口が、第２蓋部で広く開封され、飲むため若しくは注ぎ出すために傾けた様子を示す部分外観図である。
【図１３】この発明による開口装置を備えた液体食品用容器の第２の実施例を示す斜視外観図である。
【図１４】この発明による開口装置を備えた第２の容器例であって、注出口が狭く開封され、第１蓋部が開かれた様子を示す斜視外観図である。
【図１５】この発明による開口装置を備えた第２の容器例であって、注出口が、第２蓋部で広く開封された様子を示す側面外観図である。
【図１６】この発明による開口装置を備えた第２の容器例であって、注出口が、第２蓋部で広く開封された様子を示す斜視外観図である。
【符号の説明】
【００３１】
１・・・  包装容器
２・・・  容器本体
３・・・  頂部
３ａ・・・肩部
３ｂ・・  首部
４ａ、４ｂ、４ｃ・フック
５・・・  蓋体
５ａ・・  第１蓋部
５ｂ・・  第２蓋部
６・・・  把持部
７・・・  第１ヒンジ
８・・・  第２ヒンジ
９・・・  弱め線
１０・・  注出口
１１・・  ストロー
【発明を実施するための最良の形態】
【００３２】
以下、本発明の実施の形態について図面を参照しながら詳細に説明する。
この実施形態による包装容器及び開口装置の概要を、図３、図４、図５及び図６の外観図に示す第１の実施例によって、説明する。この包装容器１は、紙容器本体２と、本体２の上端に接合されインジェクションにより成形された熱可塑性樹脂の容器頂部３とからなり、容器頂部３は、肩部３ａと首部３ｂとからなる。首部３ｂの上端には、注ぎ口（注出口）を覆う蓋体５が一体成形されている。
頂部３が、本体２の上端側に肩部３ａと、肩部３ａから突出した首部３ｂと、からなるので、ビン、ボトルなどの他の液体食品用の容器と同様に、使い慣れた様式で使用する。【００３３】
蓋体５は、頂部３の首部３bと区画すると共に切断容易にシールする弱め線９を備える。
開封時には、この弱め線９に沿って、切断される。この弱め線は、蓋体と頂部との境界位置に設けられ、蓋体５と頂部３との間を、第２ヒンジを除いて、切断する。【００３４】
蓋体５は、容器１前面側に第１蓋部５ａと、容器１後面側に第２蓋部５ｂと、第１蓋部５ａから突出した把持部６とからなる。
また、第１蓋部５ａと第２蓋部５ｂとの間に、第１ヒンジ７が設けられ、把持部６が引き上げられ、弱め線９に沿って破断、切断し、第１ヒンジ７を軸に第１蓋部５ａが回転されて狭く開封される。
この態様において、把持部６が、第１蓋部５ａから容器前方向に突出した板形状を有し、更に、把持部６が、第１蓋部上面に接合している。
突出した板状の把持部は、容易に把持し、強い力を要せず、例えば、高齢者や幼児でも、容易に開封させる。【００３５】
この実施形態による開封の第１のステップとして、第１蓋部が開かれて注出口１０が狭く開封された様子を、図８、図９、及び図１の外観図に示す第１の実施例によって、説明する。
この開口の部分１０ａは、ストロー用の孔に該当する。図１に示すように、狭く開封された開口の部分１０ａにストロー１１を差し込んで、ストロー１１で容器内部の液体食品を飲むことができる。
この態様において、狭く開封された第１蓋部５ａが戻り止めストッパ１２を有し、狭く開封された開口の部分１０ａは、ストロー用の孔として使用する。
ストッパ１２が、第１蓋部５ａの戻りを止め、確実に安心して、ストロー用の孔１０ａにストロー１１を差し込むことができる。【００３６】
この実施形態による開封の第２のステップとして、注出口１０が、第２蓋部で広く開封された様子を、図１０、図１１、及び図１２の外観図に示す第１の実施例によって、説明する。
この態様において、第２蓋部５ｂの容器後面側の縁部に、第２ヒンジ８が設けられ、把持部６が更に引き上げられる。蓋体５外縁を周回する脆弱な弱め線（肉薄部）９を引き裂いて、把持部６及び蓋体５を引き上げる。弱め線９に沿って切断し、第２ヒンジ８を軸に第２蓋部５ｂが回転されて更に広く開封される。
この態様において、２番目のステップとして、第２蓋部５ｂの開封によって、注出口１０が更に広く開口される。第１蓋部及び第２蓋部に相当する部分１０bで広く開口する。
この広い開口の部分１０bは、消費者が容器から口に液体食品を直接に飲む飲み口として、注ぎ出す口として、注ぎ口に該当する。広く開封された開口の部分１０bに、口を近づけて容器内部の液体食品を直接に飲むことができる。【００３７】
この態様において、第２ヒンジ８を挟んで、第２蓋部５ｂの後面側端部と頂部の肩部３ｂとに、広く開封された第２蓋部５ｂの戻りを止めるフック４ａ、４ｂを、第２蓋部５ｂと肩部３ｂとが、各々有する。
フック４ａ、４ｂが、第２蓋部の戻りを防止して、消費者が広く開封された注ぎ口から直接に、確実に安心して、飲むことができる。
飲むため若しくは注ぎ出すためには、図１２に示すように傾け、第２蓋部で広く開封された注出口から、飲み、若しくは注ぎ出す。【００３８】
別の実施形態による包装容器及び開口装置の概要を、図１３、図１４、図１５及び図１６の外観図に示す第２の実施例によって、説明する。この包装容器１は、紙容器本体２と、本体２の上端に接合されインジェクションにより成形された熱可塑性樹脂の容器頂部３とからなる。
容器頂部３は、肩部３ａと頂面３ｃとからなる。頂面３ｃの中央部には、注ぎ口（注出口）を覆う蓋体５が一体成形されている。
頂部３が、本体２の上端側に肩部３ａと、肩部３ａからの平坦な頂面３ｃと、からなるので、缶、レンガ型紙容器などの他の液体食品用の容器と同様に、使い慣れた様式で、使用することができる。【００３９】
図１３に示すように、蓋体５は、頂部３の頂面３ｃと区画し、第１蓋部５ａと第２蓋部５ｂとを区画すると共に切断容易にシールする弱め線９を備える。
開封時には、この弱め線９に沿って、切断される。この弱め線は、蓋体と頂部と、また、第１蓋部５ａと第２蓋部５ｂとのの境界位置に設けられ、これらの境界で、第１及び第２のヒンジを除いて、弱め線が切断される。【００４０】
蓋体５は、容器１頂部の頂面３ｃ中央に第１蓋部５ａと、第１蓋部５ａを囲む第２蓋部５ｂと、第１蓋部５ａから突出した把持部６とからなる。
また、第１蓋部５ａと第２蓋部５ｂとの間に、第１ヒンジ７が設けられ、把持部６が容器前面側に引き上げられ、弱め線９に沿って破断、切断し、第１ヒンジ７を軸に第１蓋部５ａが回転されて狭く開封される。
この態様において、把持部６が、第１蓋部５ａから容器上方向に突出した円柱とその先端の設けられた球とからなるツマミ形状を有し、更に、把持部６が、第１蓋部上面に接合している。
突出した把持部は、容易に把持し、強い力を要せず、例えば、高齢者や幼児でも、容易に開封させる。【００４１】
この実施形態による開封の第１のステップとして、第１蓋部が開かれて注出口１０ａが狭く開封された様子を、図１４の外観図に示す第２の実施例によって、説明する。
この開口の部分１０ａの寸法は、ストロー用の孔の寸法に概ね該当する。図１４に示すように、狭く開封された開口の部分１０ａにストロー１１を差し込んで、ストロー１１で容器内部の液体食品を飲むことができる。
この態様において、引き上がられた第１蓋部５ａが、第１ヒンジ７を軸に戻ろうとするのでストローを押さえ、ストローの落下防止機能を有する。狭く開封された開口の部分１０ａは、ストロー用の孔として使用する。
第１蓋部５ａが、ストローの落下を止め、確実に安心して、ストロー用の孔１０ａにストロー１１を差し込み使用することができる。【００４２】
この実施形態による開封の第２のステップとして、注出口１０が、第２蓋部で広く開封された様子を、図１５及び図１６の外観図に示す第２の実施例によって、説明する。
この態様において、第２蓋部５ｂと後面側の注出口１０縁との間に、第２ヒンジ８が設けられている。把持部６が更に引き上げられると、第２蓋部５ｂの外縁を部分的に周回する弱め線９を引き裂いて、把持部６及び蓋体５を引き上げる。弱め線９に沿って切断し、第２ヒンジ８を軸に第２蓋部５ｂが回転されて更に広く開封される。
この態様において、２番目のステップとして、第２蓋部５ｂの開封によって、注出口１０が更に広く開口される。第１蓋部及び第２蓋部に相当する寸法（１０b）で広く開口する。
この広い開口の部分１０bは、消費者が容器から口に液体食品を直接に飲む飲み口として、注ぎ出す口として、注ぎ口に該当する。広く開封された開口の部分１０bに、口を近づけて容器内部の液体食品を直接に飲むことができる。【００４３】
この態様において、頂部の肩部３ａに、広く開封された第２蓋部の戻りを止める、フック４ｃを有する。フック４ｃは、ヒンジ７の縁部と係合して広く開封された第２蓋部の戻りを止める。
フック４ｃが、第２蓋部の戻りを防止して、消費者が広く開封された注ぎ口から直接に、確実に安心して、飲むことができる。飲むため若しくは注ぎ出すためには、容器全体を傾け、第２蓋部で広く開封された注出口から、飲み、若しくは注ぎ出す。【００４４】
この態様において、頂部を形成する熱可塑性樹脂及び包材の紙基材に積層される熱可塑性樹脂は、例えばポリエチレン、ポリプロピレン、エチレン系共重合体などのポリオレフィン系樹脂であり、低密度ポリエチレン（ＬＤＰＥ）の他に、線状低密度ポリエチレン（ＬＬＤＰＥ）、中密度ポリエチレン、ポリエチレンを含む共押出し若しくはブレンドポリマーなど、メタロセン触媒を用いて重合した狭い分子量分布を有する線形低密度ポリエチレン（ｍＬＬＤＰＥ）、及びｍＬＬＤＰＥを少なくとも含有するブレンドポリマーなどがある。
好ましくは、同種若しくは異種の低密度ポリエチレンからなる。【００４５】
第１及び第２の実施例の包装容器１は、例えば、図２に示す複合包装容器を製造する装置などによって得られる。ウェブ状の積層紙包装材料３１が所定形状３２に裁断され、容器縦方向に縦シールした容器スリーブ３３が得られる。スリーブ本体２上端部に薄い器壁厚の容器頂部３がインジェクション成形３５によってプラスチックで形成される。スリーブ下端部である容器底部の開口から食品が充填装置３７によって充填され、底部がシールされる。本体２と頂部３とを有する容器１が得られる。【００４６】
なお、本発明は実施の形態に限定されるものではなく、本発明の趣旨に基づいて種々変形させることが可能であり、それらを本発明の範囲から排除するものではない。
【産業上の利用可能性】
【００４７】
この発明は、液体食品などを包装充填する包装容器の製造に適用することができる。
【図１】
0005403774.tif 000002
【図２】
0005403774.tif 000003
【図３】
0005403774.tif 000004
【図４】
0005403774.tif 000005
【図５】
0005403774.tif 000006
【図６】
0005403774.tif 000007
【図７】
0005403774.tif 000008
【図８】
0005403774.tif 000009
【図９】
0005403774.tif 000010
【図１０】
0005403774.tif 000011
【図１１】
0005403774.tif 000012
【図１２】
0005403774.tif 000013
【図１３】
0005403774.tif 000014
【図１４】
0005403774.tif 000015
【図１５】
0005403774.tif 000016
【図１６】
0005403774.tif 000017